(57)【要約】【解決手段】  任意の外形形状を有し、且つ任意の形状の透孔３を穿設したシール本体２の裏面に、粘着剤４を塗布し、当該粘着剤４面に離型紙６を貼着する。また前記透孔３を透明なフィルム５で塞ぐことが好ましい。【効果】  穴開き粘着シール１の透孔３の裏側に小さい写真などを貼着し、その写真などの周囲からはみ出したシール部分で他の物品に貼着することにより、前記透孔３を通して写真８などを表示した状態で、他の任意の物品に貼着することができ、既存の任意の写真などをシールとして粘着することができる。【選択図】          図２
2005274778.tif 000002
【特許請求の範囲】
【請求項１】
任意の外形形状を有し、且つ任意の形状の透孔（３）を穿設したシール本体（２）の裏面に、粘着剤（４）を塗布し、当該粘着剤（４）面に離型紙（６）を貼着したことを特徴とする、穴開き粘着シール
【請求項２】
前記透孔（３）を透明なフィルム（５）で塞いだことを特徴とする、請求項１に記載の穴開き粘着シール
【発明の詳細な説明】
【技術分野】
【０００１】
本発明は粘着シールに関するものであって、特にその外形形状内に穴が開いており、その穴に任意の写真などを表示しつつ任意の物品に貼着し、任意の写真などを任意の箇所に表示することのできる、穴開き粘着シールに関するものである。
【背景技術】
【０００２】
従来から、写真などの裏面に粘着剤を塗布し、その粘着剤面に離型紙を貼着して、離型紙を除去して前記粘着剤により他の物品に貼着できるようにしたシールは、種々の形態のものが広く知られている。
【０００３】
表面に予め所定の模様や図柄を印刷を施したシールは種々のものが市販されており、また表面に使用者が自らパソコンのプリンターなどで所望の印刷を施すための無地のシールも多数市販されている。
【０００４】
また自動写真撮影装置とシール作成装置とを組み合わせ、撮影した写真をその場で加工してシールを作成して販売する自動販売機が、プリクラ（登録商標）の名で広く知られている。例えば特開平１０−５５４８９号公報などがその例である。
しかしながらこれらのものはいずれも、写真などの表面の図柄と、裏面の粘着剤とが一体のものとして作成されるものであって、既存の写真などをそのままシールとして貼着することはできなかった。
【特許文献１】特開平１０−５５４８９号公報
【発明の開示】
【発明が解決しようとする課題】
【０００５】
本発明はかかる事情に鑑みなされたものであって、その表面に既存の写真などを表示した状態で、他の物品に貼着することのできる粘着シールを提供することを目的とするものである。
【課題を解決するための手段】
【０００６】
而して本発明の粘着シールは、任意の外形形状を有し、且つ任意の形状の透孔を穿設したシール本体の裏面に、粘着剤を塗布し、当該粘着剤面に離型紙を貼着したことを特徴とするものである。また本発明においては、前記透孔を透明なフィルムで塞いだものであることが好ましい。
【発明の効果】
【０００７】
本発明によれば、離型紙を剥離して粘着シールの穴の裏側に小さい写真などを貼着し、その写真などの周囲からはみ出したシール部分で他の物品に貼着することにより、前記穴を通して写真などを表示した状態で、他の任意の物品に貼着することができ、既存の任意の写真などを表示したシールとして粘着することができるのである。
【発明を実施するための最良の形態】
【０００８】
以下本発明の実施の形態を図面に従って説明する。図１及び図２は本発明の穴開き粘着シール１を示すものであって、２はシール本体であり、当該シール本体２は任意の外形形状を有し、且つ中央部に透孔３が穿設されている。
【０００９】
図１の例においては、シール本体２の外形形状は五弁花形状を有しており、透孔３は円形であるが、この形状は何等限定されるものではない。シール本体２の外形形状としては、円形、三角形、四角形、五角形、六角形、星形、花形、ハート形など任意の形状を採用することができ、また透孔３の形状も、外形形状と同様の種々の形状を採用することができる。
【００１０】
またシール本体２の外形形状と透孔３の形状とは同様の形状であっても良く、図１の例に示されるような異る形状であっても良い。さらに透孔３の位置は、図面においてはシール本体２の中央に形成されているが、これも必ずしも中央であることは必要ではなく、中央から外れた位置であっても差し支えない。またシール本体２の表面には、任意の図柄を印刷することもできる
【００１１】
またシール本体２の材質についても、特に限定されるものではなく、種々の材質のものを使用することができる。一般的には紙が使用されることが多いと考えられるが、その他布やプラスチックシートなどを使用することもでき、また厚みのある木、プラスチック、金属などの板を使用することも可能である。
【００１２】
そしてシール本体２の裏面には、粘着剤４が塗布されており、当該粘着剤４の裏には離型紙６が貼着されている。当該粘着剤４の種類についても限定されるものではなく、この種のシールに使用される粘着剤のうちから、任意のものを選択して採用することができる。また離型紙６も、この種のシールについて通常使用される離型紙を、そのまま使用することができる。
【００１３】
また図面の例においては、シール本体２における透孔３の裏側に透明なフィルム５が貼着されており、当該フィルム５で透孔３が塞がれている。このフィルム５も透明であれば良く、その材質については限定されない。また無色透明に限るものでもなく、適宜の色の有色透明であっても良い。
【００１４】
図面においてはフィルム５の外周部がシール本体２と重なっており、その重なり部が前記粘着剤４で貼着されているが、シール本体２とフィルム５とを別の手段で接着することもできる。またシール本体２とフィルム５との重なり部の下面にも、粘着剤４が塗布されていることがより好ましい。
【００１５】
なおフィルム５の位置は、図面ではシール本体２の裏面であるが、シール本体２の表面にフィルム５を設けることもでき、またシール本体２の肉厚内にフィルム５を設けることも可能である。
【００１６】
而して図３は、本発明の穴開き粘着シール１の使用状態を示すものである。この穴開き粘着シール１を使用するには、貼着する対象物７の表面に表示しようとする写真８などを置き、さらにその上に離型紙６を剥離した穴開き粘着シール１を、透孔３を通して写真８を見ることができるように載置し、シール本体２を押さえて粘着剤４を介して写真８などの縁部及び対象物７に接着する。
【００１７】
このようにすることにより、裏面に粘着剤が塗布されていない既存の任意の写真８などを、透孔３を通して表示しつつ、シールとして任意の物品に貼着することができる。また透孔３にフィルム５を設けることにより、写真８などの表面を汚れや傷から保護することができる。
【産業上の利用可能性】
【００１８】
本発明の穴開き粘着シール１は、子供などが趣味的に写真８などを机やノートなどに貼着する、いわゆるシールとして使用することができるのはもとより、それに限られることなく極めて広い応用範囲を有している。
【００１９】
例えば写真をアルバムなどに整理する場合における、写真の台紙への貼着手段や、種々の容器にその内容物を表示する際に、写真８に代えて内容物を書いた紙や少量の内容物自体を表示する手段としても使用することができる。
【００２０】
さらには、シール本体２に額縁状の模様を付し、写真や賞状などを透孔３に表示して適宜の厚紙やベニヤ板などに貼着することにより、簡便な額縁として使用することもできる。またこのときシール本体２として厚みを有する木やプラスチックの板を使用することにより、本格的な額装に近いイメージのものとすることも可能である。
【００２１】
また本発明の穴開き粘着シール１は、必ずしも写真８などを表示するものとしての使用に限られるものではなく、写真８を介在させることなく、対象物７の表面の一部を透孔３から表示して貼着し、強調するために使用することもできる。例えばカレンダーにおける重要な記念日などについて、透孔３からその日付が見えるように貼着することにより、その日付を強調することができる。
【図面の簡単な説明】
【００２２】
【図１】本発明の穴開き粘着シールの平面図
【図２】本発明の穴開き粘着シールの中央縦断面図
【図３】本発明の穴開き粘着シールの使用状態を示す中央縦断面図
【符号の説明】
【００２３】
１  穴開き粘着シール
２  シール本体
３  透孔
４  粘着剤
５  フィルム
６  離型紙
【図１】
2005274778.tif 000003
【図２】
2005274778.tif 000004
【図３】
2005274778.tif 000005